(57)【要約】【課題】  コネクタの非接続状態または非接続状態を報知することができる遊技機を提供すること。【解決手段】  第１コネクタ４１及び第２コネクタ５１は、互いに接続されることにより導通する。また、報知制御ＣＰＵ３０ａは、第１コネクタ４１及び第２コネクタ５１の接続状態または非接続状態を検出し、その検出結果に基づいて液晶式図柄表示装置１８を作動させる。よって、第１コネクタ４１及び第２コネクタ５１の接続状態または非接続状態を、液晶式図柄表示装置１８によってホール管理者などに即座に報知することができる。【選択図】  図５
2005087558.tif 000002
【特許請求の範囲】
【請求項１】
互いに接続されることにより導通が図られる第１コネクタ及び第２コネクタを備えた遊技機において、
報知手段と、
前記第１コネクタ及び前記第２コネクタの接続状態または非接続状態を検出し、その検出結果に基づいて前記報知手段を作動させる報知制御手段と
を備えることを特徴とする遊技機。
【請求項２】
前記第１コネクタ及び前記第２コネクタからなるコネクタペアを複数設けるとともに、各々のコネクタペアに対して識別情報を付与し、前記報知制御手段は、前記報知手段に前記識別情報を含む態様で報知を行わせる制御を行うことを特徴とする請求項１に記載の遊技機。
【請求項３】
前記報知手段は、機表側に設けられ前記第１コネクタ及び前記第２コネクタが接続状態または非接続状態にあることを表示する表示手段であることを特徴とする請求項１または２に記載の遊技機。
【発明の詳細な説明】
【技術分野】
【０００１】
本発明は、パチンコ機やスロット機などの遊技機に係り、特には複数の基板を相互に接続して導通を図るのに用いられるコネクタを備えた遊技機に関するものである。
【背景技術】
【０００２】
遊技機の一種であるパチンコ機には、パチンコ機全体を制御するメイン制御手段を備えたメイン基板や、各種遊技演出（表示演出、発光演出、音声演出）を制御するサブ制御手段を備えたサブ基板などの複数の基板が搭載されている。一般的に、これら基板間は、コネクタを用いて電気的に接続される。例えば、一方の基板上に設置されたメス型のコネクタに、他方の基板に電線などを介して接続されたオス型のコネクタを挿し込むことで、両コネクタのコネクタ端子同士が接触して両基板間の導通が図られるようになっている。
【０００３】
ところで、オス型のコネクタが、何らかの原因でメス型のコネクタから抜けたり、メス型のコネクタに完全に挿し込まれていない状態（半挿し）になったりする可能性がある。
【０００４】
しかし、パチンコ機には多数のコネクタが用いられているため、どのコネクタに問題があるのかを瞬時に判別するのは困難である。特に、半挿しになっているコネクタを目視しただけで判別するのは極めて困難である。そのため、近年では、コネクタを保持する保持構造によってコネクタの抜け防止を図るようにしたものが種々提案されている（例えば、特許文献１参照）。
【０００５】
【特許文献１】特開２００２−２７０３００号公報
【発明の開示】
【発明が解決しようとする課題】
【０００６】
ところが、場所的制約などにより、全てのコネクタに対して上記保持構造を設けるのが困難になることがある。
【０００７】
コネクタ保持構造を有しないパチンコ機の場合、多数のパチンコ機を急いで設置する際に、誤ってコネクタを半挿しにしてしまうことがある。あるいは、パチンコ機のメインテナンス時に、誤ってコネクタを抜いてしまうことがある。また、メインテナンス時にコネクタを完全に接続したとしても、度重なる中枠の開閉に伴う振動・衝撃によってコネクタが徐々に半挿しになる可能性がある。さらに、機種変更（例えば遊技盤変更）をよく行うパチンコホールでは、コネクタの抜き差しの頻度が高くなるため、抜けや半挿しがいっそう起こりやすい状況にある。
【０００８】
また、パチンコ機の機種変更が行われた後でも引き続き利用される基板がある場合、基板間における信号の伝送に関与しない空き端子が生じることがある。ゆえに、その空き端子を有効利用したいという要望もある。
【０００９】
本発明は上記の課題に鑑みてなされたものであり、その目的は、コネクタの接続状態または非接続状態を報知することができる遊技機を提供することにある。
【課題を解決するための手段】
【００１０】
上記課題を達成するために、請求項１に記載の発明は、互いに接続されることにより導通が図られる第１コネクタ及び第２コネクタを備えた遊技機において、報知手段と、前記第１コネクタ及び前記第２コネクタの接続状態または非接続状態を検出し、その検出結果に基づいて前記報知手段を作動させる報知制御手段とを備えることを特徴とする遊技機をその要旨とする。
【００１１】
従って、請求項１に記載の発明によると、所定の場合に報知制御手段が報知手段を作動させる。よって、第１コネクタ及び第２コネクタの接続状態または非接続状態を、報知手段によってホール管理者などに即座に報知することができる。ゆえに、遊技機に、コネクタに関する抜けや半挿しなどの問題が発生した場合にも、原因を素早く究明することができる。
【００１２】
また、メインテナンス時にも作業者が即座にコネクタの接続状態を認識することができる。特に、完全に挿入されているか否かが分かりにくいコネクタにあっても、接続状態を容易に確認できる。
【００１３】
ここで、「前記第１コネクタ及び前記第２コネクタが接続状態にある場合」とは、第１コネクタが有する複数の第１コネクタ端子と、前記第１コネクタ端子に対応する第２コネクタが有する複数の第２コネクタ端子とが全て接触し、第１コネクタ及び第２コネクタ間に電気を流すことが可能な状態にある場合のことをいう。また、「第１コネクタ及び第２コネクタが非接続状態にある場合」とは、複数の第１コネクタ端子と、前記第１コネクタに対応する複数の第２コネクタ端子との少なくとも一部が接触しておらず、第１コネクタ及び第２コネクタ間に電気を流すことができない状態にある場合のことをいう。
【００１４】
ここで「報知制御手段」は、第１コネクタ及び第２コネクタの接続状態または非接続状態を検出し、その検出結果に基づいて報知手段を作動させる機能を実質的に有するものであればよく、その形式を問わない。報知制御手段の好適例としては、例えば、第１コネクタが接続されている基板または第２コネクタが接続されている基板に実装されている演算処理装置（ＣＰＵ）などを挙げることができる。また、「報知手段」としては、通電によって作動する電気的報知手段であることが好ましい。
【００１５】
請求項２に記載の発明は、請求項１に記載の発明において、前記第１コネクタ及び前記第２コネクタからなるコネクタペアを複数設けるとともに、各々のコネクタペアに対して識別情報を付与し、前記報知制御手段は、前記報知手段に前記識別情報を含む態様で報知を行わせる制御を行うことをその要旨とする。
【００１６】
従って、請求項２に記載の発明によると、各々のコネクタペアに対応して付与されている識別情報を含む態様で報知が行われることにより、コネクタペアごとの接続状態、非接続状態を極めて容易に把握することができる。また、共通の報知手段を用いて一括して分かりやすく報知することが可能なため、各々のコネクタペアに対応して報知手段を複数設けなくても済み、部品点数の増加を防止することができる。
【００１７】
ここで「識別情報」とは、コネクタペアごとに付与された異なる番号、名称、色などのことを指す。
【００１８】
また、「識別情報を含む態様で報知」とは、具体例を挙げると以下のようなものをいう。例えば、コネクタペアＡに「１０」という番号が付与され、コネクタペアＢに「１５」という番号が付与され、コネクタペアＣに「２０」という番号が付与されており、コネクタペアＡのみが非接続状態であるものとする。この場合において、例えば、「コネクタ１０が非接続状態です。」等の文章を、報知手段にて画像や音声により報知することが、「識別情報を含む態様で報知」することに該当する。
【００１９】
請求項３に記載の発明は、請求項１または２に記載の発明において、前記報知手段は、機表側に設けられ前記第１コネクタ及び前記第２コネクタが接続状態または非接続状態にあることを表示する表示手段であることをその要旨とする。
【００２０】
従って、請求項３に記載の発明によると、各々のコネクタペアに対して付与された識別情報を含む態様での報知を、画像を通じて分かりやすく一括して行うことができる。ゆえに、ホール管理者は、表示手段を目視することにより、第１コネクタ及び第２コネクタの接続状態または非接続状態を即座にかつ正確に把握することが可能である。また、この構成によると、騒音の多いホール内であっても確実に報知を行うことができる。
【００２１】
前記表示手段の好適例としては、例えば、液晶式表示装置、ＣＲＴ（ブラウン管）式表示装置、プラズマディスプレイ式表示装置、７セグメント発光ダイオード式表示装置、ドットマトリクス式表示装置、機械式（ドラム式またはベルト式）表示装置などを挙げることができる。なお、これらの表示装置は、複数の図柄を表示可能な図柄表示装置であってもよい。
【発明の効果】
【００２２】
以上詳述したように、請求項１〜３に記載の発明によれば、コネクタの接続状態または非接続状態を報知することができる。
【発明を実施するための最良の形態】
【００２３】
［第１の実施形態］
【００２４】
以下、本発明の遊技機をパチンコ機１０に具体化した一実施形態を図１〜図８に基づき説明する。図１は実施形態のパチンコ機１０の機表側を示す正面図、図２はパチンコ機１０におけるコネクタの接続部分を示す斜視図である。図３，図４はコネクタの接続状態を示す概略図である。図５はパチンコ機１０における各種制御手段の構成を示すブロック図である。図６はコネクタの接続状態を示す回路図、図７はコネクタの非接続状態を示す回路図である。図８は報知手段による報知の一態様を模式的に示した図である。
【００２５】
まず、図１に基づいてパチンコ機１０の機表側の構成について述べる。このパチンコ機１０は、機体の外郭をなす縦長方形状の外枠１１を備えている。この外枠１１は、外枠１１における上辺、右辺及び左辺を構成する外枠本体１１Ａと、外枠１１における下辺を構成する合成樹脂製の腰板ユニット１１Ｂとによって構成されている。外枠１１の開口前面側には、各種の遊技用構成部材をセットするための縦長方形状の中枠１２が、開閉及び着脱自在に組み付けられている。また、中枠１２の前面側には、機内部に配置された遊技盤１３を透視保護するためのガラス枠を備えた前枠１４と、上球皿１５とが、ともに横開き状態で開閉可能に組み付けられている。前枠１４の前面側及び遊技盤１３の遊技領域１３ａには、各種遊技の演出状態（大当り、リーチなど）に応じて点灯（点滅）・消灯などの発光装飾による演出を行う電飾ランプ１９が設けられている。また、上球皿１５の左右両側及び腰板ユニット１１Ｂの左右両側には、遊技の演出状態に応じて各種音声（効果音、言語音声など）を出力するスピーカ２０が設けられている。さらに、中枠１２の前面側において上球皿１５の下方には、下球皿１６及び発射装置１７などが装着されている。
【００２６】
図１に示されるように、遊技盤１３の遊技領域１３ａの略中央部には矩形状開口部を有する枠状の大型装飾部材２４が装着されている。大型装飾部材２４の奥側には、報知手段及び表示手段として、可視表示部Ｈ（表示画面）を備えた液晶式図柄表示装置１８が配設されている。なお、可視表示部Ｈは矩形状開口部から露出しており、遊技者側（機表側）から視認可能とされている。この液晶式図柄表示装置１８では、変動画像（または画像表示）に基づく遊技演出が行われるようになっている。そして、液晶式図柄表示装置１８では、表示演出に関連して、複数種類の図柄を複数列で変動させて図柄組み合わせを導出させる図柄組み合わせゲームが行われるようになっている。
【００２７】
図１に示されるように、本実施形態のパチンコ機１０は、機裏側に各種の制御基板（主制御基板３１Ａ、音声制御基板３１Ｂ、ランプ制御基板３１Ｃ、図柄制御基板３１Ｄ、払出制御基板３１Ｅ、発射制御基板３１Ｆなど）を収容した基板ケース３１を複数備えている。例えば、遊技盤１３に取り付けられた液晶式図柄表示装置１８のほぼ裏側の位置には、図柄制御基板３１Ｄを内部に収容する基板ケース３１が配置されている。また、図柄制御基板３１Ｄを収容する基板ケース３１の右下側位置には、ランプ制御基板３１Ｃを内部に収容する基板ケース３１が配置されている。
【００２８】
図２に示されるように、主制御基板３１Ａ（第１基板）の裏面には所定の回路パターン（図示略）が形成され、主制御基板３１Ａの表面３２にはＣＰＵ等のＩＣ３２ａやコンデンサなどの各種電気部品が実装されている。また、主制御基板３１Ａの表面３２には、前記図柄制御基板３１Ｄ（第２基板）との間で制御信号を伝送するのに用いられるメス型の第１コネクタ４１が搭載されている。第１コネクタ４１は、前記基板ケース３１の外部に突出されている。
【００２９】
図２、図３及び図６に示されるように、第１コネクタ４１のコネクタハウジング４２内には、複数（本実施形態においては概略的に５本のみ図示）の第１コネクタ端子４３が一直線上に配列されている。複数ある第１コネクタ端子４３のうち、２つの第１コネクタ端子４３（上流側第１コネクタ端子４３ａ及び下流側第１コネクタ端子４３ｂ）は、互いに離間した位置関係にある。上流側第１コネクタ端子４３ａは、各第１コネクタ端子４３の配列方向において一端側（図３において最も左側）に配置された第１コネクタ端子４３である。下流側第１コネクタ端子４３ｂは、各第１コネクタ端子４３の配列方向において他端側（図３において最も右側）に配置された第１コネクタ端子４３である。なお、上流側第１コネクタ端子４３ａ及び下流側第１コネクタ端子４３ｂは、主制御基板３１Ａ及び図柄制御基板３１Ｄ間における制御信号の伝送に関与しない空き端子である。
【００３０】
図２〜図４に示されるように、第１コネクタ４１には、オス型の第２コネクタ５１が着脱可能となっている。第２コネクタ５１は前記図柄制御基板３１Ｄに対応して設けられている。そして、第２コネクタ５１のコネクタハウジング５２が第１コネクタ４１のコネクタハウジング４２内に挿入された場合、第１コネクタ４１及び第２コネクタ５１が接続状態となる。
【００３１】
図３に示されるように、コネクタハウジング５２内には、複数（本実施形態においては概略的に５本のみ図示）の第２コネクタ端子５３が一直線上に配列されている。各第２コネクタ端子５３の先端部は、前記各第１コネクタ端子４３に接触可能になっている。また、各第２コネクタ端子５３の基端部には、それぞれ電線５４の一端が接続されている。具体的には、各コネクタ端子５３の基端部に形成された圧着部５５により、電線５４の芯線５４ａの一端がそれぞれかしめられている。電線５４の他端の殆どは、図柄制御基板３１Ｄに設けられた前記表示制御手段２７などに電気的に接続されている。複数ある第２コネクタ端子５３のうち、２つの第２コネクタ端子５３（上流側第２コネクタ端子５３ａ及び下流側第２コネクタ端子５３ｂ）は、互いに離間した位置関係にある。上流側第２コネクタ端子５３ａは、各第２コネクタ端子５３の配列方向において一端側（図３において最も左側）に配置されており、前記上流側第１コネクタ端子４３ａに接触可能になっている。下流側第２コネクタ端子５３ｂは、各第２コネクタ端子５３の配列方向において他端側（図３において最も右側）に配置されており、前記下流側第１コネクタ端子４３ｂに接触可能になっている。なお、上流側第２コネクタ端子５３ａ及び下流側第２コネクタ端子５３ｂは、主制御基板３１Ａ及び図柄制御基板３１Ｄ間における制御信号の伝送に関与しない空き端子である。
【００３２】
よって、この第２コネクタ５１を前記第１コネクタ４１に差込接続することにより、各第２コネクタ端子５３が各第１コネクタ端子４３に接触し、主制御基板３１Ａの所定の回路と図柄制御基板３１Ｄの所定の回路との間の導通が図られる。なお、同様の第１コネクタ４１及び第２コネクタ５１は、主制御基板３１Ａと音声制御基板３１Ｂとの間や、主制御基板３１Ａとランプ制御基板３１Ｃとの間の導通を図るためにも用いられている（図５参照）。
【００３３】
図５に示されるように、主制御基板３１Ａは、パチンコ機１０全体を制御するメイン制御手段（主制御手段）２６としての機能を備えている。主制御手段２６は、パチンコ機１０全体を制御するための各種処理を実行し、その処理結果に応じて、遊技演出（表示演出、発光演出、音声演出）を行わせるための制御を指示する各種の制御コマンドを演算処理するようになっている。そして、主制御手段２６は、前記制御コマンドを所定の制御信号として出力するようになっている。
【００３４】
また、前記図柄制御基板３１Ｄは、表示演出を制御する表示制御手段２７としての機能を備えている。表示制御手段２７は、主制御手段２６が出力した制御コマンドに基づいて液晶式図柄表示装置１８を制御するようになっている。さらに、前記ランプ制御基板３１Ｃは、発光演出を制御するランプ制御手段２８としての機能を備えている。ランプ制御手段２８は、主制御手段２６が出力した制御コマンドに基づいて電飾ランプ１９を制御するようになっている。また、前記音声制御基板３１Ｂは、音声演出を制御する音声制御手段２９としての機能を備えている。音声制御手段２９は、主制御手段２６が出力した制御コマンドに基づいてスピーカ２０を制御するようになっている。
【００３５】
以下、主制御手段２６、表示制御手段２７、ランプ制御手段２８及び音声制御手段２９の具体的な構成を、図５に基づき説明する。
【００３６】
主制御手段２６には、表示制御手段２７、ランプ制御手段２８及び音声制御手段２９が前記第１コネクタ４１及び前記第２コネクタ５１からなるコネクタペアを介してそれぞれ接続されている。表示制御手段２７、ランプ制御手段２８及び音声制御手段２９には、主制御手段２６から出力された制御信号が入力されるようになっている。
【００３７】
主制御手段２６はメインＣＰＵ２６ａを備えており、メインＣＰＵ２６ａにはＲＯＭ２６ｂ及びＲＡＭ２６ｃが接続されている。ＲＯＭ２６ｂには、パチンコ機１０を制御するための制御プログラム等が記憶されている。また、ＲＡＭ２６ｃには、パチンコ機１０の動作中に適宜書き換えられる各種の情報（保留球数の値など）が一時的に記憶されるようになっている。
【００３８】
図５に示されるように、表示制御手段２７はサブＣＰＵ２７ａを備えており、このサブＣＰＵ２７ａにはＲＯＭ２７ｂ及びＲＡＭ２７ｃが接続されている。ＲＯＭ２７ｂには、複数種類の表示演出用の演出実行データや各種の画像情報（図柄の画像情報、背景画像、文字画像、登場キャラクタの画像など）が記憶されている。ＲＡＭ２７ｃには、パチンコ機１０の動作中に適宜書き換えられる各種の情報が一時的に記憶（設定）されるようになっている。前記表示演出用の演出実行データとは、サブＣＰＵ２７ａが、前記液晶式図柄表示装置１８（可視表示部Ｈ）の表示内容（図柄変動、キャラクタの動作、可視表示部Ｈの背景など）を制御するための情報である。
【００３９】
図５に示されるように、前記音声制御手段２９はサブＣＰＵ２９ａを備えており、サブＣＰＵ２９ａにはＲＯＭ２９ｂ及びＲＡＭ２９ｃが接続されている。ＲＯＭ２９ｂには、各種の制御プログラム、複数種類の音声演出用の演出実行データなどが記憶されている。ＲＡＭ２９ｃには、パチンコ機１０の動作中に適宜書き換えられる各種の情報が一時的に記憶（設定）されるようになっている。前記音声演出用の演出実行データとは、サブＣＰＵ２９ａが、前記スピーカ２０の音声出力態様（効果音の種類、音声言語の種類、音声出力時間など）を制御するための情報である。
【００４０】
そして、メインＣＰＵ２６ａから制御コマンドが入力されると、サブＣＰＵ２９ａは、それに対応する音声演出用の演出実行データに基づいて音声制御を実行するようになっている。より詳しくは、音声制御手段２９は、音声演出用の演出実行データを音声信号に変換し、スピーカ２０に出力するようになっている。その結果、スピーカ２０が音声信号に基づき音声を出力する。
【００４１】
図５に示されるように、ランプ制御手段２８はサブＣＰＵ２８ａを備えており、このサブＣＰＵ２８ａにはＲＯＭ２８ｂ及びＲＡＭ２８ｃが接続されている。ＲＯＭ２８ｂには、複数種類の発光演出用の演出実行データが記憶されている。ＲＡＭ２８ｃには、パチンコ機１０の動作中に適宜書き換えられる各種の情報が一時的に記憶（設定）されるようになっている。ＣＰＵ２６ａから制御コマンドが入力されると、サブＣＰＵ２８ａは、それに対応する発光演出用の演出実行データに基づいてランプ制御を実行するようになっている。より詳しくは、ランプ制御手段２８は、発光演出用の演出実行データをランプ信号に変換し、前記電飾ランプ１９に出力するようになっている。その結果、電飾ランプ１９が、ランプ信号に基づき点灯（点滅）または消灯する。
【００４２】
また、主制御基板３１Ａは、前記第１コネクタ４１及び前記第２コネクタ５１からなるコネクタペアごとの接続状態、非接続状態を報知する接続状態報知手段３０としての機能を備えている。なお、コネクタペアごとの接続状態、非接続状態は、遊技者による遊技が行われていないときにのみ報知されるようになっている。即ち、液晶式図柄表示装置１８が図柄などを表示しているときには、コネクタペアごとの接続状態、非接続状態の報知はなされないようになっている。接続状態報知手段３０は報知制御手段としての報知制御ＣＰＵ３０ａを備えており、報知制御ＣＰＵ３０ａにはＲＯＭ３０ｂ及びＲＡＭ３０ｃが接続されている。報知制御ＣＰＵ３０ａは、前記メインＣＰＵ２６ａ及び前記サブＣＰＵ２７ａ，２８ａ，２９ａとは別部品になっている。ＲＯＭ３０ｂには、報知制御ＣＰＵ３０ａに入力される信号がＨレベルかＬレベルかを判定するための基準値データ（閾値）を含む制御プログラムや、複数種類の接続状態報知用の報知実行データなどが記憶されている。ＲＡＭ３０ｃには、報知制御ＣＰＵ３０ａに入力された信号がＨレベルもしくはＬレベルにあるという情報が一時的に記憶（設定）されるようになっている。前記接続状態報知用の報知実行データとは、報知制御ＣＰＵ３０ａが、液晶式図柄表示装置１８（可視表示部Ｈ）の表示内容（コネクタペアごとの接続状態、非接続状態）を制御するための情報である。
【００４３】
そして、報知制御ＣＰＵ３０ａは、対応する接続状態報知用の報知実行データに基づいて報知制御を実行するようになっている。より詳しくは、接続状態報知手段３０は、接続状態報知用の報知実行データを接続状況報知信号に変換し、液晶式図柄表示装置１８に出力するようになっている。その結果、液晶式図柄表示装置１８にコネクタペアごとの接続状態、非接続状態が表示される。
【００４４】
次に、コネクタ接続状況報知構造を構成する電気回路について説明する。なお、パチンコ機１０内には、前記主制御基板３１Ａと前記図柄制御基板３１Ｄとを導通させるためのコネクタペアＡ、主制御基板３１Ａと音声制御基板３１Ｂとを導通させるためのコネクタペアＢ、及び、主制御基板３１Ａとランプ制御基板３１Ｃとを導通させるためのコネクタペアＣが存在し（図５参照）、各々のコネクタペアＡ〜Ｃの接続状態、非接続状態を検出するための電気回路がそれぞれ存在する。しかし、本実施形態においては、コネクタペアＡの接続状態、非接続状態を検出するための電気回路を示して説明することとする。
【００４５】
図６に示されるように、コネクタペアＡの接続状態、非接続状態を報知するのに用いられる電気回路６１は、第１電気経路６２及び第２電気経路６３を有している。第１電気経路６２及び第２電気経路６３の始端は、１２（Ｖ）の直流電源に電気的に接続されている。
【００４６】
第１電気経路６２上には、抵抗６４、前記上流側第１コネクタ端子４３ａ、前記上流側第２コネクタ端子５３ａ、前記下流側第２コネクタ端子５３ｂ及び前記下流側第１コネクタ端子４３ｂが上流側から順番に設けられている。抵抗６４の一端は直流電源に電気的に接続され、抵抗６４の他端は上流側第１コネクタ端子４３ａに接続されている。抵抗６４は、直流電源から流れてきた電気の電圧を降下させて、前記図柄制御基板３１Ｄ側に流すためのものである。上流側第１コネクタ端子４３ａは、第１コネクタ４１及び第２コネクタ５１が接続状態にある場合に上流側第２コネクタ端子５３ａに接触するようになっている。上流側第２コネクタ端子５３ａは、前記電線５４を介して下流側第２コネクタ端子５３ｂに電気的に接続されている。下流側第２コネクタ端子５３ｂは、第１コネクタ４１及び第２コネクタ５１が接続状態にある場合に下流側第１コネクタ端子４３ｂに接触するようになっている。下流側第１コネクタ端子４３ｂは主制御基板３１Ａ内にて接地されており、第１電気経路６２の終端となる。従って、第１電気経路６２には、第１コネクタ４１及び第２コネクタ５１が接続状態にある場合に、第１コネクタ４１及び第２コネクタ５１を介して主制御基板３１Ａから前記図柄制御基板３１Ｄ間に電気が流れ、再び第１コネクタ４１及び第２コネクタ５１を介して図柄制御基板３１Ｄから主制御基板３１Ａに電気が流れるようになっている。
【００４７】
図６に示されるように、前記第２電気経路６３上には、抵抗６４、通電防止手段としての抵抗６５及び前記接続状態報知手段３０の前記報知制御ＣＰＵ３０ａが上流側から順番に設けられている。第２電気経路６３の抵抗６４は、第１電気経路６２の抵抗６４と同じものである。即ち、第１電気経路６２及び第２電気経路６３は、抵抗６４の下流側において分岐している。抵抗６４の他端は抵抗６５の一端に電気的に接続されている。抵抗６５は、第１コネクタ４１及び第２コネクタ５１が接続状態にある場合に直流電源からの電気が第２電気経路６３に流れるのを防止して、第１電気経路６２のみに電気を流すためのものである。これにより、第１コネクタ４１及び第２コネクタ５１が接続状態にあるのにもかかわらず、第２電気経路６３に電気が流れてしまうのを防止でき、信頼性が向上する。また、抵抗６５は報知制御ＣＰＵ３０ａよりも上流側に配置されている。そのため、報知制御ＣＰＵ３０ａに過電圧が印加されるのを防止することができる。そして、抵抗６５の他端は報知制御ＣＰＵ３０ａに接続されている。
【００４８】
図６に示されるように、報知制御ＣＰＵ３０ａには前記ＲＯＭ３０ｂ及び前記ＲＡＭ３０ｃが接続されている。また、報知制御ＣＰＵ３０ａには前記液晶式図柄表示装置１８が接続されている。報知制御ＣＰＵ３０ａは、第２電気経路６３に電気が流れた場合（即ち、報知制御ＣＰＵ３０ａにＨレベルの信号が入力され場合）に、コネクタペアＡの非接続状態を検出する。また、報知制御ＣＰＵ３０ａは、第２電気経路６３に電気が流れない場合（即ち、報知制御ＣＰＵ３０ａにＬレベルの信号が入力された場合）にコネクタペアＡの接続状態を検出する。なお、報知制御ＣＰＵ３０ａは、コネクタペアＢ，Ｃの接続状態、非接続状態を検出するのにも用いられている。そして、報知制御ＣＰＵ３０ａは、それらの検出結果に基づいて液晶式図柄表示装置１８に識別情報を含む態様で前記接続状況報知信号を出力するようになっている。そして、液晶式図柄表示装置１８は、接続状態または非接続状態にあるコネクタペアＡの識別情報に対応した報知を行うようになっている。なお、識別情報は、各々のコネクタペアＡ〜Ｃごとに付与されている。
【００４９】
図８に示されるように、本実施形態では、各々のコネクタペアＡ〜Ｃの接続状態、非接続状態が可視表示部Ｈにて表示されるようになっている。例えば、コネクタペアＡにタグ等により「１０」、コネクタペアＢにタグ等により「１５」、コネクタペアＣにタグ等により「２０」という識別表示（識別情報）を付与し、コネクタペアＡ，Ｃが接続状態にあって、コネクタペアＢが非接続状態にある場合、「コネクタ１０が接続状態です。」、「コネクタ１５が非接続状態です。」、「コネクタ２０が接続状態です。」という文章が可視表示部Ｈに表示されるようになっている。なお、コネクタペアＡ〜Ｃごとの接続状態、非接続状態を、記号（「コネクタ１０：○」、「コネクタ１５：×」、「コネクタ２０：○」など）によって可視表示部Ｈに表示させるようにしてもよい。また、コネクタペアＡ〜Ｃごとの接続状態、非接続状態を、文字（「コネクタ１０：良」、「コネクタ１５：否」、「コネクタ２０：良」など）によって可視表示部Ｈに表示させるようにしてもよい。さらに、コネクタペアＡ〜Ｃごとの接続状態、非接続状態を、絵（コネクタが外れている状態を示す絵など）によって可視表示部Ｈに表示させるようにしてもよい。また、非接続状態にあるコネクタペアの位置に印が付与された機裏側の概略図を可視表示部Ｈに表示させることにより、非接続状態にあるコネクタペアを報知させるようにしてもよい。それに加え、機裏側の概略図において接続状態にあるコネクタペアの位置に、非接続状態の場合とは異なる印を付与することにより、全てのコネクタペアＡ〜Ｃごとの接続状態、非接続状態を報知させるようにしてもよい。
【００５０】
次に、第１コネクタ４１及び第２コネクタ５１の接続状況を確認する方法について説明する。
【００５１】
本実施形態の液晶式図柄表示装置１８は、中枠１２が閉じられていて遊技中である場合に遊技演出を表示し、中枠１２が閉じられていて遊技中でない場合に遊技者による遊技を勧誘するためのデモンストレーション映像を表示する一方、中枠１２が開いている場合に各々のコネクタペアＡ〜Ｃの接続状態、非接続状態を表示するように構成されている。まず、第１コネクタ４１及び第２コネクタ５１の接続状態を確認するために中枠１２を開けると、中枠１２の開操作に連動して報知制御ＣＰＵ３０ａが通電状態に切り替えられる。このとき、例えば図６に示されるように、コネクタペアＡが接続状態にある場合、上流側第１コネクタ端子４３ａ及び上流側第２コネクタ端子５３ａが接触し、下流側第１コネクタ端子４３ｂ及び下流側第２コネクタ端子５３ｂが接触している。その結果、第１電気経路６２が直流電源に電気的に接続されて通電状態となり、第２電気経路６３が非通電状態となる。その結果、報知制御ＣＰＵ３０ａにＬレベルの信号が入力されるため、第１コネクタ４１及び第２コネクタ５１が接続状態にあることが報知制御ＣＰＵ３０ａによって検出される。この場合、報知制御ＣＰＵ３０ａは、その検出結果に基づいて液晶式図柄表示装置１８に識別情報を含む態様で接続状況報知信号を出力する。そして、液晶式図柄表示装置１８の可視表示部Ｈに、コネクタペアＡが接続状態にあるという内容の文章が表示される。その結果、ホール管理者などにコネクタペアＡが接続状態にあることが報知される。
【００５２】
なお、本実施形態では、中枠１２の開操作に連動して、液晶式図柄表示装置１８の表示内容が遊技演出あるいはデモンストレーション映像からコネクタペアＡ〜Ｃの接続状態表示に切り替えられるようになっていた。しかし、表示切替スイッチを新たに設け、中枠１２を開放した状態で表示切替スイッチを操作することにより、液晶式図柄表示装置１８の表示内容を切り替えるようにしてもよい。
【００５３】
また、パチンコ機１０のメインテナンス時に、第１コネクタ４１から第２コネクタ５１を誤って抜いてしまったり、第１コネクタ４１に第２コネクタ５１を挿し忘れてしまったりした場合、図７に示されるように、コネクタペアＡが非接続状態となる。この場合、上流側第１コネクタ端子４３ａ及び上流側第２コネクタ端子５３ａが非接触となり、下流側第１コネクタ端子４３ｂ及び下流側第２コネクタ端子５３ｂが非接触となる。その結果、第１電気経路６２が物理的に遮断されて非通電状態になる。このとき、第２電気経路６３のみが直流電源に電気的に接続されている。そのため、直流電源からの電気が抵抗６５を通過して流れ、第２電気経路６３が通電状態となる。その結果、報知制御ＣＰＵ３０ａにＨレベルの信号が入力されるため、第１コネクタ４１及び第２コネクタ５１が非接続状態にあることが報知制御ＣＰＵ３０ａによって検出される。この場合、報知制御ＣＰＵ３０ａは、その検出結果に基づいて液晶式図柄表示装置１８に識別情報を含む態様で接続状況報知信号を出力する。そして、可視表示部Ｈに、コネクタペアＡが非接続状態にあるという内容の文章が表示される。その結果、ホール管理者などにコネクタペアＡが非接続状態にあることが報知される。
【００５４】
次に、多数のパチンコ機１０を急いで設置する際に、誤って第２コネクタ５１が第１コネクタ４１に完全に差し込まれていない状態（半挿し）にしてしまった場合や、度重なる中枠１２の開閉に伴う振動・衝撃によってコネクタ４１，５１が徐々に半挿しになってしまった場合などについて説明する。例えば図４に示されるように、半挿し状態においては、第１コネクタ４１と第２コネクタ５１とが傾いて接続されているため、第１コネクタ４１の先端部と第２コネクタ５１の先端部とが完全に接触しておらず、先端部における一方の端部（図４の右端部）には隙間が生じている。従って、第１電気経路６２上に設けられた上流側第１コネクタ端子４３ａ及び上流側第２コネクタ端子５３ａが接触するため、第１コネクタ４１及び第２コネクタ５１は電気的に接続された状態を維持してしまう。しかし、同じく第１電気経路６２上に設けられた下流側第１コネクタ端子４３ｂ及び下流側第２コネクタ端子５３ｂは接触していない。このとき、第１電気経路６２が物理的に遮断されて非通電状態となり、第２電気経路６３が通電状態となる。よって、可視表示部ＨにコネクタペアＡが非接続状態にあるという内容の文章が表示され、第１コネクタ４１及び第２コネクタ５１が非接続状態にあることが把握される。
【００５５】
第１コネクタ４１及び第２コネクタ５１の接続確認作業の終了後、中枠１２を閉じると、中枠１２の閉操作に連動して報知制御ＣＰＵ３０ａが非通電状態に切り替えられ、第１コネクタ４１及び第２コネクタ５１の接続状況の確認が終了する。
【００５６】
従って、本実施形態によれば以下の効果を得ることができる。
【００５７】
（１）報知制御ＣＰＵ３０ａが第１コネクタ４１及び第２コネクタ５１の接続状況または非接続状態を検出して接続状況報知信号を出力すると、接続状況報知信号に基づいて液晶式図柄表示装置１８が作動する。よって、第１コネクタ４１及び第２コネクタ５１の接続状態または非接続状態を、液晶式図柄表示装置１８によってホール管理者などに即座に報知することができる。ゆえに、パチンコ機１０に、第１コネクタ４１及び第２コネクタ５１に関する抜けや半挿しなどの問題が発生した場合にも、原因を素早く究明することができる。
【００５８】
なお、この構成によると、報知制御ＣＰＵ３０ａが用いられているため、第１コネクタ４１及び第２コネクタ５１の接続状態、非接続状態の両方を報知することができる。従って、第１コネクタ４１及び第２コネクタ５１の接続状態または非接続状態をより詳しく把握することができる。また、液晶式図柄表示装置１８が用いられているため、文章以外の記号、文字、絵などの他のものを可視表示部Ｈに表示した場合であっても、コネクタペアＡ〜Ｃごとの接続状態または非接続状態を報知することができる。
【００５９】
さらに、第１コネクタ４１及び第２コネクタ５１の接続状態または非接続状態は、遊技者による遊技が行われていないとき、より詳しくはパチンコ機１０のメインテナンス時などの特定の場合にだけ報知される。そのため、遊技中にもかかわらず、コネクタペアＡ〜Ｃごとの接続状態、非接続状態が可視表示部Ｈに表示されてしまい、興醒めとなってしまうのを防止できる。また、遊技中ではないために作動していない液晶式図柄表示装置１８を用いて、コネクタペアＡ〜Ｃごとの接続状態、非接続状態を可視表示部Ｈ全体に分かりやすく表示できる。
【００６０】
（２）図８に示されるように、各々のコネクタペアＡ〜Ｃに対応して付与されている識別表示（「１０」、「１５」、「２０」）を含む態様で報知が行われることにより、コネクタペアＡ〜Ｃごとの接続状態、非接続状態を極めて容易に把握することができる。また、共通の液晶式図柄表示装置１８を用いて一括して分かりやすく報知することが可能なため、各々のコネクタペアＡ〜Ｃに対応して液晶式図柄表示装置１８を複数設けなくても済み、部品点数の増加を防止することができる。
【００６１】
（３）第１コネクタ４１及び第２コネクタ５１が接続状態または非接続状態にあることを報知する報知手段として、液晶式図柄表示装置１８が用いられている。そのため、各々のコネクタペアＡ〜Ｃに対して付与された識別情報を含む態様での報知を、画像を通じて分かりやすく一括して行うことができる。ゆえに、ホール管理者は、液晶式図柄表示装置１８を目視することにより、第１コネクタ４１及び第２コネクタ５１の接続状態または非接続状態を即座にかつ正確に把握することが可能である。また、この構成によると、騒音の多いホール内であっても確実に報知を行うことができる。さらに、遊技者による遊技が行われていないときには作動しない既存の液晶式図柄表示１８が報知手段として有効活用されているため、部品点数の増加を防止することができる。
【００６２】
（４）報知制御ＣＰＵ３０ａは、既存のメインＣＰＵ２６ａ及びサブＣＰＵ２７ａ，２８ａ，２９ａとは別部品になっている。そのため、既存の主制御手段２６、表示制御手段２７、ランプ制御手段２８及び音声制御手段２９に、接続状態報知手段３０を容易に追加できる。ゆえに、主制御手段２６、表示制御手段２７、ランプ制御手段２８、音声制御手段２９の各ＲＯＭ２６ｂ，２７ｂ，２８ｂ，２９ｂの記憶内容に変更を加えなくても済む。また、報知制御ＣＰＵ３０ａの機能をメインＣＰＵ２６ａ及びサブＣＰＵ２７ａ，２８ａ，２９ａに持たせる場合のように、メインＣＰＵ２６ａ及びサブＣＰＵ２７ａ，２８ａ，２９ａに負担がかかるのを防止できる。
【００６３】
（５）第１電気経路６２上には、上流側第１コネクタ端子４３ａ、上流側第２コネクタ端子５３ａ、下流側第２コネクタ端子５３ｂ及び下流側第１コネクタ端子４３ｂが設けられている。そのため、上流側第１コネクタ端子４３ａと上流側第２コネクタ端子５３ａとの接触、及び下流側第２コネクタ端子５３ｂと下流側第１コネクタ端子４３ｂとの接触の少なくとも一方が不完全である場合には、第１電気経路６２が非通電状態となり、第２電気経路６３に電気が流れる。その結果、液晶式図柄表示装置１８の可視表示部Ｈに、第１コネクタ４１及び第２コネクタ５１が非接続状態にあるという内容の文章が表示される。よって、図４のように第１コネクタ４１と第２コネクタ５１とが傾いて接続された場合であっても、第１コネクタ４１及び第２コネクタ５１の非接続状態を確実に報知することが可能となる。
【００６４】
（６）２つのコネクタ端子対（上流側第１コネクタ端子４３ａ及び上流側第２コネクタ端子５３ａからなる対、下流側第２コネクタ端子５３ｂ及び下流側第１コネクタ端子４３ｂからなる対）が互いに離間した位置関係にある。そのため、第１コネクタ４１及び第２コネクタ５１の傾きが小さくても第１コネクタ４１及び第２コネクタ５１が非接続状態となり、第２電気経路６３に電気が流れて、可視表示部Ｈに第１コネクタ４１及び第２コネクタ５１が非接続状態にあるという内容の文章が表示される。ゆえに、早期のうちに半挿し状態を報知することが可能となる。
【００６５】
しかも、２つのコネクタ端子対は、各第１コネクタ端子４３及び各第２コネクタ端子５３の配列方向においてそれぞれ両端に配置されている。よって、接続状態にある第１コネクタ４１及び第２コネクタ５１が半挿しとなって互いに傾き、その傾きが一定以上となった場合に、いずれかの端部のコネクタ端子対が最初に離間することとなる。即ち、複数ある他の第１コネクタ端子４３及び第２コネクタ端子５３全てが接触状態にある場合にも、一方の端部のコネクタ端子対を最初に離間させることができる。その結果、より早く第２電気経路６３に電気が流れて、可視表示部Ｈに第１コネクタ４１及び第２コネクタ５１が非接続状態にあるという内容の文章が表示されるため、より早期に半挿し状態を報知することが可能となる。つまり、接触していない第１コネクタ端子４３及び第２コネクタ端子５３が存在して第１コネクタ４１及び第２コネクタ５１が非接続状態にあるのにもかかわらず、液晶式図柄表示装置１８が作動しないという事態を回避できる。
［第２の実施形態］
【００６６】
次に、第２の実施形態のパチンコ機１０について説明する。なお、第１の実施形態と共通している構成については、同一の部材番号を付す代わりに、その詳細な説明を省略する。
【００６７】
前記第１の実施形態では、報知手段として一つの液晶式図柄表示装置１８が用いられていたが、本実施形態では、図９に示されるように、コネクタペアＡ〜Ｃごとに設けられた発光ダイオード４４，４５，４６が報知手段（発光手段）として用いられている。例えば、コネクタペアＡに対応する発光ダイオード４４は、主制御基板３１Ａの表面３２に実装されている。発光ダイオード４４は、第１コネクタ４１のコネクタハウジング４２の近傍に、本実施形態ではコネクタハウジング４２の外周面からの距離が約３０ｍｍとなる位置に設けられている。発光ダイオード４４は、第１コネクタ４１及び第２コネクタ５１が非接続状態にある場合に、第１コネクタ４１及び第２コネクタ５１のうち少なくとも第１コネクタ４１を照らすようになっている。
【００６８】
また、本実施形態において、図６に示される報知制御ＣＰＵ３０ａには、液晶式図柄表示装置１８の代わりに複数の発光ダイオード４４〜４６が接続されている。各発光ダイオード４４〜４６は、各々のコネクタペアＡ〜Ｃに対応してそれらの近傍にそれぞれ設けられている。そして、報知制御ＣＰＵ３０ａは、各々のコネクタペアＡ〜Ｃが接続状態または非接続状態にあることを条件として、各々のコネクタペアＡ〜Ｃに対応した接続状況報知信号を出力するようになっている。例えば、コネクタペアＡ，Ｃが接続状態にあって、コネクタペアＢが非接続状態にある場合、報知制御ＣＰＵ３０ａは、コネクタペアＡ，Ｃに対応する発光ダイオード４４，４６に対してＬレベルの信号を出力し、コネクタペアＢに対応する発光ダイオード４５に対してＨレベルの信号を出力するようになっている。そして、各発光ダイオード４４〜４６は、接続状態または非接続状態にある各々のコネクタペアＡ〜Ｃに対応した報知を行うようになっている。具体的には、コネクタペアＡ，Ｃの発光ダイオード４４，４６が消灯し、コネクタペアＢの発光ダイオード４５が点灯するようになっている。
【００６９】
次に、第１コネクタ４１及び第２コネクタ５１の接続状況を確認する方法について説明する。
【００７０】
例えばコネクタペアＡが接続状態にある場合、第２電気経路６３が非通電状態となり、報知制御ＣＰＵ３０ａにＬレベルの信号が入力される。その結果、第１コネクタ４１及び第２コネクタ５１が接続状態にあることが報知制御ＣＰＵ３０ａによって検出される。この場合、報知制御ＣＰＵ３０ａは、その検出結果に基づいてＬレベルの接続状況報知信号を出力し、発光ダイオード４４を消灯させる。
【００７１】
また、パチンコ機１０のメインテナンス時に、第１コネクタ４１から第２コネクタ５１を誤って抜いてしまったり、第１コネクタ４１に第２コネクタ５１を挿し忘れてしまったりした場合、コネクタペアＡが非接続状態となる。この場合、第２電気経路６３が通電状態となり、報知制御ＣＰＵ３０ａにＨレベルの信号が入力される。その結果、第１コネクタ４１及び第２コネクタ５１が非接続状態にあることが報知制御ＣＰＵ３０ａによって検出される。この場合、報知制御ＣＰＵ３０ａは、その検出結果に基づいてＨレベルの接続状況報知信号を出力し、発光ダイオード４４を点灯させる。
【００７２】
次に、多数のパチンコ機１０を急いで設置する際に、誤って第２コネクタ５１が第１コネクタ４１に完全に差し込まれていない状態（半挿し）にしてしまった場合や、度重なる中枠１２の開閉に伴う振動・衝撃によってコネクタ４１，５１が徐々に半挿しになってしまった場合などについて説明する。この場合、上流側第１コネクタ端子４３ａ及び上流側第２コネクタ端子５３ａが接触するが、下流側第１コネクタ端子４３ｂ及び下流側第２コネクタ端子５３ｂは接触していない。よって、第１電気経路６２が非通電状態となり、第２電気経路６３が通電状態となるため、発光ダイオード４４が点灯して第１コネクタ４１及び第２コネクタ５１が非接続状態にあることが把握される。
【００７３】
従って、本実施形態によれば以下の効果を得ることができる。
【００７４】
（７）各々のコネクタペアＡ〜Ｃに対応するようにそれらの近傍に発光ダイオード４４〜４６が設けられているため、複数の発光ダイオード４４〜４６がそれぞれ報知を行うことにより、コネクタペアＡ〜Ｃごとの接続状態、非接続状態を極めて容易に把握することができる。
【００７５】
（８）報知手段である発光ダイオード４４〜４６が発光することにより、半挿し状態にある第１コネクタ４１及び第２コネクタ５１が照らされるので、それらを比較的簡単に見つけることができる。しかも、作業時に発光ダイオード４４〜４６によって手元が照らされるので、第１コネクタ４１及び第２コネクタ５１の接続確認作業や修正作業を容易にかつ確実に行うことができる。
【００７６】
（９）発光手段として、比較的長寿命であって消費電力の小さい発光ダイオード４４〜４６が用いられている。よって、電気回路６１の長寿命化、省電力化を図ることができる。また、発光ダイオード４４〜４６は比較的小型であるため、例えば発光ダイオード４４を、メインＣＰＵ２６ａ等のＩＣ３２ａやコンデンサなどの各種電気部品が実装されることで空きスペースが少ない主制御基板３１Ａ上などに容易に実装できる。
【００７７】
なお、本発明の実施形態は以下のように変更してもよい。
【００７８】
・上記第１の実施形態において、液晶式図柄表示装置の可視表示部Ｈには、第１コネクタ４１及び第２コネクタ５１が接続状態にあるという内容の文章が表示されるとともに、第１コネクタ４１及び第２コネクタ５１が非接続状態にあるという内容の文章が表示されるようになっていた。しかし、可視表示部Ｈに、第１コネクタ４１及び第２コネクタ５１が接続状態にあるという内容の文章のみを表示するようにしてもよいし、第１コネクタ４１及び第２コネクタ５１が非接続状態にあるという内容の文章のみを表示するようにしてもよい。
【００７９】
・上記第１の実施形態では、報知制御ＣＰＵ３０ａは液晶式図柄表示装置１８に直接接続されていたが、報知制御ＣＰＵ３０ａを、表示制御手段２７を介して液晶式図柄表示装置１８に接続して報知処理させてもよい。
【００８０】
・上記第２の実施形態において、第２電気経路６３が非通電状態となり、報知制御ＣＰＵ３０ａにＬレベルの信号が入力された場合に、報知制御ＣＰＵ３０ａからＨレベルの接続状況報知信号を出力して発光ダイオード４４を点灯させるようにしてもよい。それとともに、第２電気経路６３が通電状態となり、報知制御ＣＰＵ３０ａにＨレベルの信号が入力された場合に、報知制御ＣＰＵ３０ａからＬレベルの接続状況報知信号を出力して発光ダイオード４４を消灯させるようにしてもよい。
【００８１】
・上記両方の実施形態において、報知手段として液晶式図柄表示装置１８や発光ダイオード４４〜４６を用いる代わりに、第１コネクタ４１及び第２コネクタ５１が接続状態、非接続状態にあることを音声にて報知するスピーカなどの音声出力手段を報知手段として用いてもよい。このようにすれば、目視による確認を行わなくても、第１コネクタ４１及び第２コネクタ５１の接続状態、非接続状態を知ることができる。
【００８２】
・上記第２の実施形態においては、発光ダイオード４４〜４６がパチンコ機１０の機裏側に配置されていたが、パチンコ機１０の機表側、具体的には遊技盤１３の前面、上球皿１５の前面及び下球皿１６の前面などに配置し、遊技者側から視認可能としてもよい。このようにすれば、中枠１２を開けることなく各々のコネクタペアＡ〜Ｃの接続状態を判断できるだけでなく、併せて発光装飾による演出も行うことができる。
【００８３】
・上記第２の実施形態において、発光手段として発光ダイオード４４〜４６を用いる代わりに、小型電球などの任意の発光手段を用いてもよい。
【００８４】
・上記第２の実施形態において、コネクタペアＡを青色に、コネクタペアＢを黄色に、コネクタペアＣを赤色に着色し、発光ダイオード４４，４５，４６の代わりに、青色、赤色、黄色の発光ダイオードからなる発光部を報知手段（発光手段）として用いる。そして、接続状態あるいは非接続状態にあるコネクタペアと同じ色の発光ダイオードのみを点灯させるようにしてもよい。
【００８５】
・上記両方の実施形態においては、各々のコネクタペアＡ〜Ｃの接続状態、非接続状態が、接続状況報知信号を液晶式図柄表示装置１８に出力することで報知されるようになっていた。その代わりに、接続状況報知信号をホールコンピュータに出力することで、各々のコネクタペアＡ〜Ｃの接続状態、非接続状態を報知するようにしてもよい。また、接続状況報知信号を液晶式図柄表示装置１８及びホールコンピュータの両方に出力することで、各々のコネクタペアＡ〜Ｃの接続状態、非接続状態を報知するようにしてもよい。これらのようにすれば、全てのパチンコ機における各々のコネクタペアの接続状態、非接続状態が、ホールコンピュータによって一括して管理されるため、コネクタペアごとの接続状態、非接続状態を、それぞれのパチンコ機に行って確認しなくても済む。よって、各々のコネクタペアの接続状態確認作業の効率を飛躍的に向上させることができる。
【００８６】
・上記両方の実施形態において、接続状態報知手段３０の報知制御ＣＰＵ３０ａの機能を、既存のメインＣＰＵ２６ａ及びサブＣＰＵ２７ａ，２８ａ，２９ａのいずれか一つに持たせてもよい。このようにすれば、既存の主制御手段２６、表示制御手段２７、ランプ制御手段２８及び音声制御手段２９とは別に接続状態報知手段３０を設けなくても済むため、部品点数の増加を防止することができる。
【００８７】
・上記両方の実施形態では、コネクタペアＡ〜Ｃごとに第１コネクタ４１及び第２コネクタ５１の接続状態、非接続状態が報知されるようになっていた。しかし、第１コネクタ端子４３及び第２コネクタ端子５３からなるコネクタ端子対ごとに、第１コネクタ４１及び第２コネクタ５１の接続状態、非接続状態を報知するようにしてもよい。
【００８８】
・上記両方の実施形態では、第１電気経路６２は、主制御基板３１Ａ内にて接地されるようになっていた。しかし、第１電気経路６２を、音声制御基板３１Ｂ、ランプ制御基板３１Ｃ及び図柄制御基板３１Ｄ内にて接地させるようにしてもよい。このようにすれば、パチンコ機１０の機種変更後において主制御基板３１Ａ、音声制御基板３１Ｂ、ランプ制御基板３１Ｃ及び図柄制御基板３１Ｄが引き続き利用される場合に、空き端子が一対しか生じなくても、電気回路６１を構成することができる。
【００８９】
・上記両方の実施形態におけるコネクタ接続状況報知構造は、主制御基板３１Ａ、音声制御基板３１Ｂ及びランプ制御基板３１ＣにおけるコネクタペアＡ〜Ｃの接続状況を報知するためのものであった。しかし、コネクタ接続状況報知構造は、払出制御基板３１Ｅ及び発射制御基板３１Ｆなどの他の基板におけるコネクタペアの接続状況を報知するものであってもよい。
【００９０】
次に、特許請求の範囲に記載された技術的思想のほかに、前述した実施形態によって把握される技術的思想を以下に列挙する。
【００９１】
（１）前記第１コネクタ及び前記第２コネクタからなるコネクタペアを複数設けるとともに、各々のコネクタペアに対応して前記報知手段をそれぞれ設けたことを特徴とする請求項１に記載の遊技機。よって、技術的思想（１）によれば、コネクタペアごとの接続状態、非接続状態を極めて容易に把握することができる。
【００９２】
（２）前記報知手段は、各々のコネクタペアに対応してそれらの近傍にそれぞれ設けられた複数の発光手段であることを特徴とする技術的思想（１）に記載の遊技機。よって、技術的思想（２）によれば、第１コネクタ及び第２コネクタを比較的簡単に見つけることができる。しかも、コネクタの接続確認作業や修正作業を容易にかつ確実に行うことができる。
【００９３】
（３）前記報知手段は、前記第１コネクタ及び前記第２コネクタのうち少なくとも一方を照らす発光手段であることを特徴とする請求項１乃至３、技術的思想（１），（２）のいずれか１つに記載の遊技機。
【００９４】
（４）前記発光手段は発光ダイオードであることを特徴とする技術的思想（２）または（３）に記載の遊技機。よって、技術的思想（４）によれば、発光手段の長寿命化、省電力化を図ることができる。
【００９５】
（５）前記報知手段は、前記第１コネクタ及び前記第２コネクタが接続状態または非接続状態にあることを音声にて報知する音声出力手段であることを特徴とする請求項１または２に記載の遊技機。
【００９６】
（６）複数の第１コネクタ端子を有するとともに第１基板に対応して設けられた前記第１コネクタと、複数の第２コネクタ端子を有するとともに第２基板に対応して設けられた前記第２コネクタと、前記第１コネクタ及び前記第２コネクタが接続状態にある場合に通電状態となる第１電気経路と、前記第１コネクタ及び前記第２コネクタが非接続状態にある場合に通電状態となる第２電気経路とを備え、前記第２電気経路上において前記報知制御手段の上流側には、前記第１コネクタ及び前記第２コネクタが接続状態にあるときに前記第２電気経路に前記電源から電気が流れることを防止するための通電防止手段が設けられていることを特徴とする請求項１乃至３、技術的思想（１）乃至（５）のいずれか１つに記載の遊技機。よって、技術的思想（６）によれば、通電防止手段が設けられていることにより、第１コネクタ及び第２コネクタが接続状態にあるのにも拘わらず第２電気経路側に電気が流れるのを防止できる。
【００９７】
（７）前記通電防止手段は抵抗であることを特徴とする技術的思想（６）に記載の遊技機。よって、技術的思想（７）によれば、報知制御手段が抵抗よりも下流側に配置されているため、報知制御手段に流れる電気を小さくすることができる。
【００９８】
（８）前記第１電気経路は、電源からの電気を前記第１コネクタ及び前記第２コネクタを介して前記第１基板から前記第２基板に流し、前記第２基板から前記第１基板に流して前記第１基板において接地させるためのものであることを特徴とする技術的思想（６）または（７）に記載の遊技機。
【００９９】
（９）前記第１電気経路上に設けられた前記第１コネクタ端子及び前記第２コネクタ端子は、前記第１基板及び前記第２基板間における信号の伝送に関与しない空き端子であることを特徴とする技術的思想（６）乃至（８）のいずれか１つに記載の遊技機。
【０１００】
（１０）電源に電気的に接続される上流側第１コネクタ端子と、前記上流側第１コネクタ端子に接触可能な上流側第２コネクタ端子と、前記上流側第２コネクタ端子に電気的に接続される下流側第２コネクタ端子と、前記第１基板において接地されるとともに前記下流側第２コネクタ端子に接触可能な下流側第１コネクタ端子とを、前記第１電気経路上に設けたことを特徴とする技術的思想（６）乃至（９）のいずれか１つに記載の遊技機。よって、技術的思想（１０）によれば、第１コネクタ及び第２コネクタの非接続状態をより確実に報知することができる。
【０１０１】
（１１）前記第１コネクタにて配列された前記複数の第１コネクタ端子のうち、前記上流側第１コネクタ端子及び前記下流側第１コネクタ端子は、互いに離間した位置関係にあり、前記第２コネクタにて配列された前記複数の第２コネクタ端子のうち、前記上流側第２コネクタ端子及び前記下流側第２コネクタ端子は、互いに離間した位置関係にあることを特徴とする技術的思想（１０）に記載の遊技機。
【０１０２】
（１２）前記第１コネクタにて配列された前記複数の第１コネクタ端子のうち、前記上流側第１コネクタ端子が前記各第１コネクタ端子の配列方向において一端側に配置され、前記下流側第１コネクタ端子が前記各第１コネクタ端子の配列方向において他端側に配置されるとともに、前記第２コネクタにて配列された前記複数の第２コネクタ端子のうち、前記上流側第２コネクタ端子が前記各第２コネクタ端子の配列方向において一端側に配置され、前記下流側第２コネクタ端子が前記各第２コネクタ端子の配列方向において他端側に配置されることを特徴とする技術的思想（１０）または（１１）に記載の遊技機。
【０１０３】
（１３）互いに接続されることにより導通が図られる第１コネクタ及び第２コネクタの接続状況報知構造であって、前記第１コネクタ及び前記第２コネクタの接続状態または非接続状態を検出して接続状況報知信号を出力する報知制御手段と、前記接続状況報知信号に基づいて前記第１コネクタ及び前記第２コネクタの接続状態または非接続状態を報知する報知手段とを備えることを特徴とするコネクタ接続状況報知構造。
【図面の簡単な説明】
【０１０４】
【図１】本発明における遊技機を示す正面図。
【図２】第１コネクタ、第２コネクタなどを示す斜視図。
【図３】第１コネクタ及び第２コネクタの接続状態を示す正面図。
【図４】第１コネクタ及び第２コネクタの非接続状態（半挿し状態）を示す正面図。
【図５】第１の実施形態の遊技機における主制御手段、表示制御手段、ランプ制御手段、音声制御手段及び接続状態報知手段の構成を示すブロック図。
【図６】同じく、第１コネクタ及び第２コネクタの接続状態を示す回路図。
【図７】同じく、第１コネクタ及び第２コネクタの非接続状態を示す回路図。
【図８】同じく、液晶式図柄表示装置が表示する文章を模式的に示した図。
【図９】第２の実施形態の遊技機における主制御手段、表示制御手段、ランプ制御手段、音声制御手段及び接続状態報知手段の構成を示すブロック図。
【符号の説明】
【０１０５】
１０…遊技機としてのパチンコ機
１８…報知手段及び表示手段としての液晶式図柄表示装置
３０ａ…報知制御手段としての報知制御ＣＰＵ
４１…第１コネクタ
４４，４５，４６…報知手段及び発光手段としての発光ダイオード
５１…第２コネクタ
Ａ〜Ｃ…コネクタペア
【図１】
2005087558.tif 000003
【図２】
2005087558.tif 000004
【図３】
2005087558.tif 000005
【図４】
2005087558.tif 000006
【図５】
2005087558.tif 000007
【図６】
2005087558.tif 000008
【図７】
2005087558.tif 000009
【図８】
2005087558.tif 000010
【図９】
2005087558.tif 000011